【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
振動子と可変容量素子とを有し、前記可変容量素子に入力される制御電圧に応じた周波数で発振した発振信号を出力する発振回路と、
前記発振信号の周波数を補正するための補正データを生成する補正回路と
を有し、
前記補正回路は、
前記発振信号を分周した信号を出力すると共に、前記分周の動作を停止させるためのイネーブル信号が入力される分周器と、
前記分周器の出力信号をカウントすると共に、前記イネーブル信号を前記分周器に出力するカウンター回路と、
前記分周器の出力信号をクロック信号としてｐビット（ただしｐは正の整数）のパラレルデータを生成するシフトレジスターと、
前記パラレルデータをエンコードしてｑビット（ただしｑは正の整数）の前記補正データを生成するエンコーダと
を備えたことを特徴とする発振器。
【請求項２】
前記エンコーダの出力する前記補正データをアナログ信号に変換し、補正信号として出力するデジタル／アナログ変換器と、
温度センサーから入力された信号に基づいて前記制御電圧を生成すると共に、前記補正信号に基づいて前記制御電圧を補正して出力する制御電圧発生回路と
を備えたことを特徴とする請求項１に記載の発振器。
【請求項３】
温度センサーから入力された信号に基づいて前記制御電圧を生成する制御電圧発生回路と、
複数の容量素子と、
前記補正データに基づき、前記複数の容量素子の各々と前記発振回路との接続を制御する複数のスイッチング素子と
を備えたことを特徴とする請求項１記載の発振器。
【請求項４】
前記分周器の分周数が可変である
ことを特徴とする請求項１ないし３のいずれか一項に記載の発振器。
【請求項５】
前記シフトレジスターのビット数ｐが可変である
ことを特徴とする請求項４に記載の発振器。
【請求項６】
前記エンコーダーのビット数ｑが可変である
ことを特徴とする請求項４または５に記載の発振器。
【請求項７】
２のｑ乗がｐ以上である
ことを特徴とする請求項１ないし６のいずれか一項に記載の発振器。
【請求項８】
請求項１ないし７のいずれか一項に記載の発振器と、
前記発振器から出力される前記発振信号を用いて動作する電子回路と
を有する電子機器。
【手続補正２】
【補正対象書類名】明細書
【補正対象項目名】０００１
【補正方法】変更
【補正の内容】
【０００１】
本発明は、発振器における起動時の周波数ドリフトを抑制する技術に関する。
【手続補正３】
【補正対象書類名】明細書
【補正対象項目名】０００５
【補正方法】変更
【補正の内容】
【０００５】
本発明は、振動子と可変容量素子とを有し、前記可変容量素子に入力される制御電圧に応じた周波数で発振した発振信号を出力する発振回路と、前記発振信号の周波数を補正するための補正データを生成する補正回路とを有し、前記補正回路は、前記発振信号を分周した信号を出力すると共に、前記分周の動作を停止させるためのイネーブル信号が入力される分周器と、前記分周器の出力信号をカウントすると共に、前記イネーブル信号を前記分周器に出力するカウンター回路と、前記分周器の出力信号をクロック信号としてｐビット（ただしｐは正の整数）のパラレルデータを生成するシフトレジスターと、前記パラレルデータをエンコードしてｑビット（ただしｑは正の整数）の前記補正データを生成するエンコーダとを備えたことを特徴とする発振器を提供する。
この発振器によれば、分周器が停止しない構成と比較してより低消費電力で、起動時からの経過時間に応じた補正データを出力することができる。
【手続補正４】
【補正対象書類名】明細書
【補正対象項目名】０００６
【補正方法】変更
【補正の内容】
【０００６】
好ましい態様において、この発振器は、前記エンコーダの出力する前記補正データをアナログ信号に変換し、補正信号として出力するデジタル／アナログ変換器と、温度センサーから入力された信号に基づいて前記制御電圧を生成すると共に、前記補正信号に基づいて前記制御電圧を補正して出力する制御電圧発生回路とを備えてもよい。
この発振器によれば、補正データに応じた制御電圧を用いて、起動時からの経過時間に応じた制御を行うことができる。
【手続補正５】
【補正対象書類名】明細書
【補正対象項目名】０００７
【補正方法】変更
【補正の内容】
【０００７】
別の好ましい態様において、この発振器は、温度センサーから入力された信号に基づいて前記制御電圧を生成する制御電圧発生回路と、複数の容量素子と、前記補正データに基づき、前記複数の容量素子の各々と前記発振回路との接続を制御する複数のスイッチング素子とを備えてもよい。
この発振器によれば、補正データに応じて接続される容量素子を用いて、起動時からの経過時間に応じた制御を行うことができる。
【手続補正６】
【補正対象書類名】明細書
【補正対象項目名】０００８
【補正方法】変更
【補正の内容】
【０００８】
さらに別の好ましい態様において、前記分周器の分周数が可変であってもよい。
この発振器によれば、補償回路が動作する時間を変えることができる。
【手続補正７】
【補正対象書類名】明細書
【補正対象項目名】０００９
【補正方法】変更
【補正の内容】
【０００９】
さらに別の好ましい態様において、前記シフトレジスターのビット数ｐが可変であってもよい。
この発振器によれば、補正データの時間分解能を変えることができる。
【手続補正８】
【補正対象書類名】明細書
【補正対象項目名】００１０
【補正方法】変更
【補正の内容】
【００１０】
さらに別の好ましい態様において、前記エンコーダーのビット数ｑが可変であってもよい。
この発振器によれば、補正データの時間分解能を変えることができる。
【手続補正９】
【補正対象書類名】明細書
【補正対象項目名】００１１
【補正方法】変更
【補正の内容】
【００１１】
さらに別の好ましい態様において、２のｑ乗がｐ以上であってもよい。
この発振器によれば、シフトレジスターから出力されるデータの利用効率を向上させることができる。
【手続補正１０】
【補正対象書類名】明細書
【補正対象項目名】００１２
【補正方法】変更
【補正の内容】
【００１２】
また、本発明は、上記いずれかの発振器と、前記発振器から出力される前記発振信号を用いて動作する電子回路とを有する電子機器を提供する。
この電子機器によれば、分周器が停止しない構成と比較してより低消費電力で、起動時からの経過時間に応じた補正データを出力することができる。
【手続補正１１】
【補正対象書類名】明細書
【補正対象項目名】００１４
【補正方法】変更
【補正の内容】
【００１４】
１．第１実施形態
図１は、第１実施形態に係る温度補償型水晶発振器（temperature compensated crystal oscillator、ＴＣＸＯ、発振器の一例）１の構成を示す断面模式図である。温度補償発振器１は、シート基板８１と、振動子基板８２と、振動子１１と、ＩＣチップ８３と、キャップ８４とを有する。温度補償発振器１は、概ね、ＩＣチップ８３の上に、振動子１１を配置した構成を有する。振動子基板８２は内部に空間９０を有する。振動子１１は、空間９０に収まるように設置されている。振動子１１は、接着部材８８により、振動子基板８２に接着されている。振動子基板８２には孔８９が設けられている。振動子１１は、孔８９内に満たされた接着部材８８を介して端子８７と電気的に接続されている。シート基板８１上には、ＩＣチップ８３が貼り付けられている。ＩＣチップ８３は、ワイヤ９１を介して接続部材８６に接続されている。接続部材は、端子８７と接続されている。ＩＣチップ８３には、振動子１１を用いた発振回路が形成されている。
【手続補正１２】
【補正対象書類名】明細書
【補正対象項目名】００１５
【補正方法】変更
【補正の内容】
【００１５】
図２は、振動子１１の温度特性を例示する図である。横軸は温度を、縦軸は周波数偏差をそれぞれ表す。周波数偏差は、２５℃のときの周波数を基準にしている。この例で、振動子１１は、ＡＴカットされた水晶振動子である。振動子１１は、室温（２５℃）付近に変極点を有する３次曲線で近似される特性（図２の実線）を有する。この温度変動を補償するため、ＩＣチップ８３には、温度センサーと、不揮発性メモリーと、温度補償電圧（制御電圧）発生回路が形成されている。温度補償電圧発生回路は、温度センサーから出力される温度情報と、不揮発性メモリーに記憶されている振動子１１の温度特性とを用いて、振動子１１の温度特性を補償する特性（図２の破線）を発生させるための電圧を出力する。
【手続補正１３】
【補正対象書類名】明細書
【補正対象項目名】発明の名称
【補正方法】変更
【補正の内容】
【発明の名称】発振器および電子機器